(57)【特許請求の範囲】
【請求項１】
通信回線に接続され、携帯端末で前記通信回線を介して通信の相手先となる相手先装置のユーザと通話する場合、前記通信回線を介した前記携帯端末と前記相手先装置との間の通話を中継し、画像形成装置で形成された画像データを前記通信回線を介して前記相手先装置にファクシミリ送信する、通信装置であって、
前記携帯端末と通信する第一通信部と、
前記通信回線に接続され、前記通信回線を介して前記相手先装置と通信する第二通信部と、
前記画像形成装置と通信する第三通信部と、
前記第一通信部による前記携帯端末との通信を制御する第一制御部と、
前記通信回線を介した前記第二通信部による前記相手先装置との通信を制御する第二制御部と、
前記第一制御部によって前記携帯端末との通信が制御され、前記第二制御部によって前記通信回線を介した前記相手先装置との通信が制御された状態で、前記携帯端末と前記相手先装置との間の通話を中継する第三制御部と、
前記画像データと、前記通信回線を介した通信のために前記相手先装置に割り当てられた識別情報と、を前記第三通信部を介して取得する第一取得部と、
前記携帯端末から送信されるファクシミリ送信の送信開始指示を、前記第一制御部によって制御された前記第一通信部を介して取得する第二取得部と、
前記画像形成装置からの通話状態要求に応じ、前記携帯端末と前記相手先装置との間の通話状態を判断する判断部と、
前記判断部によって、前記携帯端末と前記相手先装置との間が通話中であると判断された第一の場合、前記相手先装置の前記識別情報を含み、前記携帯端末と前記相手先装置との間で通話されていることを示す通話中通知を、前記第三通信部から前記画像形成装置に送信する応答部と、
前記通話中通知を受信した前記画像形成装置から、前記相手先装置への画像データのファクシミリ送信に関する手動送信要求を、前記第三通信部を介して取得する第三取得部と、を備え、
前記第一制御部は、
前記第一の場合、前記携帯端末との通信を継続して制御し、
前記判断部によって、前記携帯端末と前記相手先装置との間が通話中ではないと判断された第二の場合、前記携帯端末との通信を制御し、
前記第二制御部は、
前記第一の場合、前記相手先装置との通信を継続して制御し、
前記第二の場合、前記第一取得部で取得された前記識別情報に従い、前記通信回線を介した前記相手先装置との通信を制御し、
前記第三制御部は、
前記第一の場合、前記携帯端末と前記相手先装置との間の通話の中継を継続して制御し、
前記第二の場合、前記第一制御部によって前記携帯端末との通信が制御され、前記第二制御部によって前記通信回線を介した前記相手先装置との通信が制御された状態で、前記携帯端末と前記相手先装置との間の通話を中継し、
前記第二制御部は、
前記第一の場合、前記第三制御部によって、前記携帯端末と前記相手先装置との間の通話のための中継が行われた状態で、前記第三取得部で前記手動送信要求が取得されたことを条件として、前記第一取得部で取得された前記画像データを、前記第二通信部から前記相手先装置に、前記通信回線を介してファクシミリ送信し、
前記第二の場合、前記第三制御部によって、前記携帯端末と前記相手先装置との間の通話のための中継が行われた状態で、前記第二取得部で前記送信開始指示が取得されたことを条件として、前記第一取得部で取得された前記画像データを、前記第二通信部から前記相手先装置に、前記通信回線を介してファクシミリ送信する、通信装置。
【請求項２】
前記第三制御部は、
前記第一の場合、前記携帯端末と前記相手先装置との間の通話のための中継が行われた状態で、前記第三取得部で前記手動送信要求が取得されたことを条件として、前記携帯端末と前記相手先装置との間の通話のための中継を終了し、
前記第二の場合、前記携帯端末と前記相手先装置との間の通話のための中継が行われた状態で、前記第二取得部で前記送信開始指示が取得されたことを条件として、前記携帯端末と前記相手先装置との間の通話のための中継を終了し、
前記第二制御部は、前記第一の場合及び前記第二の場合、前記第三制御部によって前記携帯端末と前記相手先装置との間の通話のための中継が終了されたことを条件として、前記第一取得部で取得された前記画像データを、前記第二通信部から、前記相手先装置に、前記通信回線を介してファクシミリ送信する、請求項１に記載の通信装置。
【発明の詳細な説明】
【技術分野】
【０００１】
本発明は、携帯端末及び画像形成装置と通信し、通話及びファクシミリ送信に対応する通信装置と、通信装置を含む通信システムに関する。
【背景技術】
【０００２】
通信システムに関する技術が、特許文献１に開示されている。特許文献１の通信システムは、通信ＢＯＸと、２台のコードレス子機と、２台のＭＦＰと、ＤＨＣＰ機能を有するネットワークルータと、一般的なパーソナルコンピュータと、ネットワークケーブルとを有する。特許文献１には、この通信システムでは、コードレス子機が通話中であるときに、ＭＦＰに設けられているファクシミリ送信開始ボタンを押すと、コードレス子機が通話中の相手先にファクシミリ送信が実行されるようにしてもよい、ことが開示されている。
【先行技術文献】
【特許文献】
【０００３】
【特許文献１】特開２００７−８９０４１号公報
【発明の概要】
【発明が解決しようとする課題】
【０００４】
ファクシミリ送信は、意図しない相手に誤送信されるといった事態を防止しつつ、スムーズな操作によって、目的とする相手に画像データをファクシミリ送信できることが望ましい。
【０００５】
本発明は、誤送信を防止し、目的とする相手に好適に画像データをファクシミリ送信することができる、通信装置及び通信システムを提供することを目的とする。
【課題を解決するための手段】
【０００６】
本発明の一側面は、通信回線に接続され、携帯端末で前記通信回線を介して通信の相手先となる相手先装置のユーザと通話する場合、前記通信回線を介した前記携帯端末と前記相手先装置との間の通話を中継し、画像形成装置で形成された画像データを前記通信回線を介して前記相手先装置にファクシミリ送信する、通信装置であって、前記携帯端末と通信する第一通信部と、前記通信回線に接続され、前記通信回線を介して前記相手先装置と通信する第二通信部と、前記画像形成装置と通信する第三通信部と、前記第一通信部による前記携帯端末との通信を制御する第一制御部と、前記通信回線を介した前記第二通信部による前記相手先装置との通信を制御する第二制御部と、前記第一制御部によって前記携帯端末との通信が制御され、前記第二制御部によって前記通信回線を介した前記相手先装置との通信が制御された状態で、前記携帯端末と前記相手先装置との間の通話を中継する第三制御部と、前記画像データと、前記通信回線を介した通信のために前記相手先装置に割り当てられた識別情報と、を前記第三通信部を介して取得する第一取得部と、前記携帯端末から送信されるファクシミリ送信の送信開始指示を、前記第一制御部によって制御された前記第一通信部を介して取得する第二取得部と、を備え、前記第二制御部は、前記第一取得部で取得された前記識別情報に従い、前記通信回線を介した前記相手先装置との通信を制御し、前記第三制御部によって、前記携帯端末と前記相手先装置との間の通話のための中継が行われた状態で、前記第二取得部で前記送信開始指示が取得されたことを条件として、前記第一取得部で取得された前記画像データを、前記第二通信部から前記相手先装置に、前記通信回線を介してファクシミリ送信する、通信装置である。これによれば、相手先装置のユーザとの通話によって、相手先装置を確認し、その後、その相手先装置に画像データをファクシミリ送信することができる。
【０００７】
この通信装置は、次のようにしてもよい。前記第三制御部は、前記携帯端末と前記相手先装置との間の通話のための中継が行われた状態で、前記第二取得部で前記送信開始指示が取得されたことを条件として、前記携帯端末と前記相手先装置との間の通話のための中継を終了し、前記第二制御部は、前記第三制御部によって前記携帯端末と前記相手先装置との間の通話のための中継が終了されたことを条件として、前記第一取得部で取得された前記画像データを、前記第二通信部から前記相手先装置に、前記通信回線を介してファクシミリ送信する、ようにしてもよい。これによれば、通話を終了させた状態で、相手先装置に画像データをファクシミリ送信することができる。通話及びファクシミリ送信を同時に行えない場合に対応することができる。
【０００８】
前記画像形成装置からの通話状態要求に応じ、前記携帯端末と前記相手先装置との間の通話状態を判断する判断部と、前記判断部によって、前記携帯端末と前記相手先装置との間が通話中であると判断された第一の場合、前記相手先装置の前記識別情報を含み、前記携帯端末と前記相手先装置との間で通話されていることを示す通話中通知を、前記第三通信部から前記画像形成装置に送信する応答部と、前記通話中通知を受信した前記画像形成装置から、前記相手先装置への画像データのファクシミリ送信に関する手動送信要求を、前記第三通信部を介して取得する第三取得部と、を備え、前記第一制御部は、前記第一の場合、前記携帯端末との通信を継続して制御し、前記判断部によって、前記携帯端末と前記相手先装置との間が通話中ではないと判断された第二の場合、前記携帯端末との通信を制御し、前記第二制御部は、前記第一の場合、前記相手先装置との通信を継続して制御し、前記第二の場合、前記第一取得部で取得された前記識別情報に従い、前記通信回線を介した前記相手先装置との通信を制御し、前記第三制御部は、前記第一の場合、前記携帯端末と前記相手先装置との間の通話の中継を継続して制御し、前記第二の場合、前記第一制御部によって前記携帯端末との通信が制御され、前記第二制御部によって前記通信回線を介した前記相手先装置との通信が制御された状態で、前記携帯端末と前記相手先装置との間の通話を中継し、前記第二制御部は、前記第一の場合、前記第三制御部によって、前記携帯端末と前記相手先装置との間の通話のための中継が行われた状態で、前記第三取得部で前記手動送信要求が取得されたことを条件として、前記第一取得部で取得された前記画像データを、前記第二通信部から前記相手先装置に、前記通信回線を介してファクシミリ送信し、前記第二の場合、前記第三制御部によって、前記携帯端末と前記相手先装置との間の通話のための中継が行われた状態で、前記第二取得部で前記送信開始指示が取得されたことを条件として、前記第一取得部で取得された前記画像データを、前記第二通信部から前記相手先装置に、前記通信回線を介してファクシミリ送信する、ようにしてもよい。これによれば、通話中であるか否かを判断し、既に通話中である相手先装置に、画像データをファクシミリ送信することができる。通話中ではない場合、相手先装置との間で通信を確立し、上記同様、通話によって確認された相手先装置に画像データをファクシミリ送信することができる。
【０００９】
前記第三制御部は、前記第一の場合、前記携帯端末と前記相手先装置との間の通話のための中継が行われた状態で、前記第三取得部で前記手動送信要求が取得されたことを条件として、前記携帯端末と前記相手先装置との間の通話のための中継を終了し、前記第二の場合、前記携帯端末と前記相手先装置との間の通話のための中継が行われた状態で、前記第二取得部で前記送信開始指示が取得されたことを条件として、前記携帯端末と前記相手先装置との間の通話のための中継を終了し、前記第二制御部は、前記第一の場合及び前記第二の場合、前記第三制御部によって前記携帯端末と前記相手先装置との間の通話のための中継が終了されたことを条件として、前記第一取得部で取得された前記画像データを、前記第二通信部から、前記相手先装置に、前記通信回線を介してファクシミリ送信する、ようにしてもよい。これによれば、通話を終了させた状態で、相手先装置に画像データをファクシミリ送信することができる。通話及びファクシミリ送信を同時に行えない場合に対応することができる。
【００１０】
本発明の他の側面は、通話のための携帯端末と、ファクシミリ送信のための画像データを形成する画像形成装置と、通信回線に接続され、前記携帯端末で前記通信回線を介して通信の相手先となる相手先装置のユーザと通話する場合、前記通信回線を介した前記携帯端末と前記相手先装置との間の通話を中継し、前記画像形成装置で形成された画像データを前記通信回線を介して前記相手先装置にファクシミリ送信する、通信装置と、を含む通信システムであって、前記通信装置は、前記携帯端末と通信する第一通信部と、前記通信回線に接続され、前記通信回線を介して前記相手先装置と通信する第二通信部と、前記画像形成装置と通信する第三通信部と、前記第一通信部による前記携帯端末との通信を制御する第一制御部と、前記通信回線を介した前記第二通信部による前記相手先装置との通信を制御する第二制御部と、前記第一制御部によって前記携帯端末との通信が制御され、前記第二制御部によって前記通信回線を介した前記相手先装置との通信が制御された状態で、前記携帯端末と前記相手先装置との間の通話を中継する第三制御部と、前記画像データと、前記通信回線を介した通信のために前記相手先装置に割り当てられた識別情報と、を前記第三通信部を介して取得する第一取得部と、前記携帯端末から送信されるファクシミリ送信の送信開始指示を、前記第一制御部によって制御された前記第一通信部を介して取得する第二取得部と、を備え、前記第二制御部は、前記第一取得部で取得された前記識別情報に従い、前記通信回線を介した前記相手先装置との通信を制御し、前記第三制御部によって、前記携帯端末と前記相手先装置との間の通話のための中継が行われた状態で、前記第二取得部で前記送信開始指示が取得されたことを条件として、前記第一取得部で取得された前記画像データを、前記第二通信部から前記相手先装置に、前記通信回線を介してファクシミリ送信し、前記携帯端末は、前記通信装置と通信する第四通信部と、前記送信開始指示の送信を含む、前記第四通信部と前記通信装置との通信を制御する第四制御部と、を備え、前記画像形成装置は、前記通信装置と通信する第五通信部と、前記画像データと前記識別情報との送信を含む、前記第五通信部と前記通信装置との通信を制御する第五制御部と、を備える、通信システムである。
【００１１】
この通信システムに含まれる通信装置において、前記第三制御部は、前記携帯端末と前記相手先装置との間の通話のための中継が行われた状態で、前記第二取得部で前記送信開始指示が取得されたことを条件として、前記携帯端末と前記相手先装置との間の通話のための中継を終了し、前記第二制御部は、前記第三制御部によって前記携帯端末と前記相手先装置との間の通話のための中継が終了されたことを条件として、前記第一取得部で取得された前記画像データを、前記第二通信部から前記相手先装置に、前記通信回線を介してファクシミリ送信する、ようにしてもよい。
【００１２】
このような通信システムによれば、上述した通信装置と同様の機能を実現することができる。この通信システムは、上述したさらに他の要素を備える通信装置を含むものとして特定することもできる。この場合、携帯端末及び画像形成装置は、他の要素を含む通信装置に対応した要素をそれぞれ備える。
【発明の効果】
【００１３】
本発明によれば、誤送信を防止し、目的とする相手に好適に画像データをファクシミリ送信することができる、通信装置及び通信システムを得ることができる。
【図面の簡単な説明】
【００１４】
【図１】本発明の一実施例形態に係る通信システムの一例を示す図である。
【図２】通信システムで実行される処理の内の第１部分を示すシーケンス図である。
【図３】通信システムで実行される処理の内の第１部分に続く第２部分を示すシーケンス図である。
【図４】通信システムで実行される処理の内の第２部分に続く第３部分を示すシーケンス図である。
【図５】複合機の複合機処理の内の第１部分を示すフローチャートである。
【図６】複合機の複合機処理の内の第１部分に続く第２部分を示すフローチャートである。
【図７】通信装置の通信装置処理の内の第１部分を示すフローチャートである。
【図８】通信装置の通信装置処理の内の第１部分に続く第２部分を示すフローチャートである。
【図９】携帯端末の携帯端末処理の内の第１部分を示すフローチャートである。
【図１０】携帯端末の携帯端末処理の内の第１部分に続く第２部分を示すフローチャートである。
【発明を実施するための形態】
【００１５】
本発明を実施するための実施形態について、図面を用いて説明する。本発明は、以下に記載の構成に限定されるものではなく、同一の技術的思想において種々の構成を採用することができる。例えば、以下に示す構成の一部は、省略し又は他の構成等に置換してもよい。また、他の構成を含むようにしてもよい。
【００１６】
＜通信システム＞
通信システム１０について、図１を参照して説明する。通信システム１０によれば、通信回線１００を介して、通信回線１００に接続された相手先装置９０と通信することができる。相手先装置９０は、通信の相手先となる電話機能を有するファクシミリ装置等である。通信回線１００としては、公衆電話回線網及び／又は次世代ネットワーク（Next Generation Network）が例示される。相手先装置９０との間で実行される通信は、相手先装置９０のユーザとの通話と、相手先装置９０への画像データの送受信（ファクシミリ通信）である。このような通信には、通信事業者から割り当てられた識別情報としての電話番号（ファクシミリ通信の場合、「ファクシミリ番号」ともいう）が利用される。通信システム１０は、通信装置２０と、携帯端末４０Ａ，４０Ｂと、複合機６０を含む。図１では、２台の携帯端末４０Ａ，４０Ｂを図示しているが、通信システム１０に含まれる携帯端末の台数は、３台以上、又は、１台であってもよい。携帯端末４０Ａ，４０Ｂは、同一の装置である。本実施形態では、携帯端末４０Ａ，４０Ｂを区別しない場合、又は、これらを総称する場合、「携帯端末４０」という。
【００１７】
通信装置２０は、通信回線１００に接続される。通信装置２０は、携帯端末４０で、相手先装置９０のユーザと通話する場合、通信回線１００を介した携帯端末４０と相手先装置９０との間の通話を中継する。通信装置２０は、複合機６０で形成された画像データを通信回線１００を介して相手先装置９０にファクシミリ送信する。携帯端末４０は、相手先装置９０のユーザとの通話に用いられる。携帯端末４０としては、子機と称される装置が例示される。複合機６０は、ファクシミリ送信される画像データを形成するための画像形成装置である。複合機６０は、例えば、スキャナ機能と、プリント機能と、コピー機能を備える。通信システム１０において、通信装置２０と携帯端末４０との間と、通信装置２０と複合機６０との間は、それぞれ無線接続される。通信装置２０と携帯端末４０との間の無線接続は、一般的には、内線接続とも称される。通信装置２０及び複合機６０の接続は、有線接続であってもよい。この場合、各装置間の通信は、各装置を接続する信号ケーブルを介して行われる。本実施形態では、無線接続を例とし、通信装置２０と携帯端末４０との間の通信と、通信装置２０と複合機６０との間の通信は、無線通信によって行われることとする。
【００１８】
＜通信装置＞
図１に示すように、通信装置２０は、ＣＰＵ２２と、ＲＯＭ２４と、ＲＡＭ２６と、第一通信部２８と、第二通信部３０と、第三通信部３２を備える。ＣＰＵ２２は、演算処理を実行し、通信装置２０を制御する。ＲＯＭ２４は、通信装置２０で実行される各種の処理のためのコンピュータプログラムを記憶する。通信装置２０で実行される処理としては、後述する通信装置処理（図７及び図８参照）が例示される。ＲＡＭ２６は、ＣＰＵ２２がコンピュータプログラムを実行する際の記憶領域となる。第一通信部２８は、携帯端末４０と無線通信するための通信インターフェースである。第一通信部２８は、公知の電話機における親機と子機との間の通信（内線通話）で採用されている通信方式の通信インターフェースによって構成される。第二通信部３０は、通信回線１００に接続され、通信回線１００を介して相手先装置９０と通信するための通信インターフェースである。通信回線１００が、公衆電話回線網である場合、第二通信部３０は、ＮＣＵ及びモデムを含む。通信回線１００が、次世代ネットワークである場合、第二通信部３０は、例えば、ＬＡＮボードを含む。第三通信部３２は、複合機６０と無線通信するための通信インターフェースである。第三通信部３２は、例えば、無線ＬＡＮのための通信インターフェースによって構成される。
【００１９】
＜携帯端末＞
図１に示すように、携帯端末４０は、ＣＰＵ４２と、ＲＯＭ４４と、ＲＡＭ４６と、第四通信部４８と、操作部５０と、表示部５２と、マイク５４と、スピーカ５６を備える。図１では、携帯端末４０Ｂについては、前述した各部の図示を省略しているが、携帯端末４０Ｂも、これら各部を備える。ＣＰＵ４２は、演算処理を実行し、携帯端末４０を制御する。ＲＯＭ４４は、携帯端末４０で実行される各種の処理のためのコンピュータプログラムを記憶する。携帯端末４０で実行される処理としては、後述する携帯端末処理（図９及び図１０参照）が例示される。ＲＡＭ４６は、ＣＰＵ４２がコンピュータプログラムを実行する際の記憶領域となる。第四通信部４８は、通信装置２０の第一通信部２８と無線通信するための通信インターフェースである。第四通信部４８は、第一通信部２８と共通した通信方式の通信インターフェースによって構成される。操作部５０は、携帯端末４０に対する所定の指示を入力するための入力部である。操作部５０は、所定の指示がそれぞれ関連付けられた操作キーを含む。例えば、ユーザは、画像データのファクシミリ送信を開始するための送信開始指示に関連付けられた操作キーを操作する。表示部５２は、各種の情報を表示するモニタであって、例えば、液晶ディスプレイによって構成される。マイク５４は、音声入力部である。スピーカ５６は、音声出力部である。
【００２０】
＜複合機＞
図１に示すように、複合機６０は、ＣＰＵ６２と、ＲＯＭ６４と、ＲＡＭ６６と、第五通信部６８と、スキャナ部７０と、原稿センサ７２と、印刷部７４と、操作部７６と、表示部７８を備える。ＣＰＵ６２は、演算処理を実行し、複合機６０を制御する。ＲＯＭ６４は、複合機６０で実行される各種の処理のためのコンピュータプログラムを記憶する。複合機６０で実行される処理としては、後述する複合機処理（図５及び図６参照）が例示される。ＲＡＭ６６は、ＣＰＵ６２がコンピュータプログラムを実行する際の記憶領域となる。第五通信部６８は、通信装置２０の第三通信部３２と無線通信するための通信インターフェースである。第五通信部６８は、第三通信部３２と共通した通信方式の通信インターフェースによって構成される。
【００２１】
スキャナ部７０は、原稿を読み取る。原稿センサ７２は、スキャナ部７０によって読み取られる原稿を検出するためのセンサである。原稿センサ７２は、読取対象の原稿がセットされる複合機６０の所定の部分に設けられる。印刷部７４は、画像データに対応した画像を、記録用紙に印刷する。印刷対象となる画像データは、例えば、ファクシミリ通信によって通信装置２０で受信され、又は、コピー機能の実行に伴い形成される。操作部７６は、複合機６０に対する所定の指示を入力するための入力部である。操作部７６は、所定の指示がそれぞれ関連付けられた操作キーを含む。例えば、ユーザは、相手先装置９０の電話番号を入力する際、テンキーを操作する。また、通信システム１０に複数台の携帯端末４０が含まれる場合、携帯端末４０を識別するための端末情報を入力する。表示部７８は、各種の情報を表示するモニタであって、例えば、液晶ディスプレイによって構成される。
【００２２】
＜処理シーケンス＞
相手先装置９０のユーザと通話し、この相手先装置９０に画像データをファクシミリ送信する場合に、通信システム１０で実行される処理について、図２〜図４を参照して説明する。本実施形態では、相手先装置９０のユーザと通話し、この相手先装置９０に画像データをファクシミリ送信する送信手法を、「手動送信」という。手動送信に際し、ユーザは、複合機６０に、送信対象の原稿をセットする（Ｔ１）。セットされた原稿が原稿センサ７２で検出されると、複合機６０から通信装置２０に、通話状態要求が送信される（Ｔ２）。本実施形態では、携帯端末４０Ａ，４０Ｂの何れについても、これらを用いた通話が行われていないこととする。通信装置２０では、要求に応じた応答として、非通話通知が、要求元である複合機６０に送信される（Ｔ３）。応答としての非通話通知を受信した複合機６０では、非通話画面が表示部７８に表示される（Ｔ４）。非通話画面は、何れの携帯端末４０も非通話の状態であることを示す。非通話画面は、相手先装置９０の電話番号と、利用する携帯端末４０を識別するための端末情報と、手動送信の実行指示の入力を促すメッセージを含む。
【００２３】
次に、ユーザは、操作部７６を操作し、手動送信の実行指示を入力する（Ｔ５）。その際、ユーザは、操作部７６を操作し、相手先装置９０の電話番号と、利用する携帯端末４０を識別する端末情報（図１に基づけば、携帯端末４０Ａ，４０Ｂの何れか一方の端末情報）を入力する。複合機６０では、セットされた原稿が、スキャナ部７０で読み取られ、画像データが形成される（Ｔ６）。セットされた全ての原稿が読み取られ、全ての原稿に対応した画像データが形成されると、複合機６０では、通信装置２０に、前述した実行指示に対応する第一手動送信要求が送信される（Ｔ７）。その際、画像データと、電話番号と、端末情報が併せて送信される。第一手動送信要求は、入力された電話番号の相手先装置９０に発呼し、手動送信することを要求する通知である。通信装置２０は、第一手動送信要求等を受信する。その後、通信装置２０では、受信された電話番号が、発呼先としてセットされる（Ｔ８）。具体的には、電話番号がＲＡＭ２６に記憶される。このとき、端末情報及び画像データもＲＡＭ２６に記憶される。続けて、通信装置２０では、端末情報によって識別される携帯端末４０（呼出対象の携帯端末４０）に、呼出開始要求が送信される（Ｔ９）。その際、手動送信通知と、Ｔ７に基づき受信された電話番号が送信される。呼出開始要求は、携帯端末４０において呼出動作の実行を要求する通知である。手動送信通知は、この呼び出しが、手動送信のための呼出であることを示す通知である。Ｔ７に基づき受信された端末情報が、携帯端末４０Ａを識別する情報であった場合、Ｔ９での送信は、携帯端末４０Ａに対して行われる。
【００２４】
呼出対象の携帯端末４０では、Ｔ９に対応して、スピーカ５６から呼出音が出力され（Ｔ１０）、手動送信画面が表示部５２に表示される（Ｔ１１）。手動送信画面は、手動送信通知に対応した情報と、電話番号を含む。手動送信通知に対応した情報は、この呼び出しが手動送信のための呼び出しであることを示す情報である。続けて、呼出対象の携帯端末４０では、通信装置２０に、呼出開始応答が送信される（Ｔ１２）。呼出開始応答は、Ｔ９に応じ、呼出動作が開始されたことを通知する応答である。通信装置２０は、呼出開始応答を受信する。その後、通信装置２０では、複合機６０に、呼出開始応答が送信される（Ｔ１３）。呼出開始応答を受信した複合機６０では、呼出中画面が表示部７８に表示される（Ｔ１４）。呼出中画面は、Ｔ７での端末情報によって識別される携帯端末４０を呼び出していることを示す。これ以降、通信システム１０での処理は、図３に示す手順に移行する。
【００２５】
ユーザは、Ｔ１０での呼出音を聞き取り、この呼び出しに応じるための動作を携帯端末４０に対して行う（Ｔ１５）。携帯端末４０では、Ｔ１５に対応して、通信装置２０に、内線開始通知が送信される（Ｔ１６）と共に、通信装置２０との通信が制御される（Ｔ１７）。これによって、通信装置２０と、呼出対象の携帯端末４０との間の無線接続が確立され、両装置間での通信が可能となる。携帯端末４０では、送信前通話画面が表示部５２に表示される（Ｔ１８）。送信前通話画面は、手動送信におけるファクシミリ送信前の通話中であることを示す。Ｔ１７によって、携帯端末４０との通信が制御されている通信装置２０では、複合機６０に端末通信開始通知が送信される（Ｔ１９）。端末通信開始通知は、携帯端末４０との通信が開始されたことを示す通知である。複合機６０では、端末通信開始通知が受信され、通信開始画面が表示部７８に表示される（Ｔ２０）。通信開始画面は、呼出中であった携帯端末４０と通信装置２０との間で通信が開始されたことを示す。
【００２６】
次に、通信装置２０では、図２のＴ８でセットされた発呼先が取得される（Ｔ２１）。具体的には、Ｔ８でＲＡＭ２６に記憶された電話番号が取得される。続けて、通信装置２０では、第二通信部３０で回線閉結が行われ、携帯端末４０を通信回線１００の側に接続すると共に、Ｔ２１で取得された電話番号に従った発呼処理が制御される（Ｔ２２）。これによって、通信回線１００を介して、相手先装置９０の呼び出しが開始される（Ｔ２３）。そして、相手先装置９０からの外線応答があった場合（Ｔ２４）、通信装置２０と相手先装置９０は、通信回線１００を介して接続される。通信装置２０では、携帯端末４０と相手先装置９０との間の通話が中継される。通信システム１０のユーザは、携帯端末４０で、相手先装置９０のユーザと通話する。通信システム１０のユーザは、この通話によって、相手を確認することができる。これ以降、通信システム１０での処理は、図４に示す手順に移行する。
【００２７】
手動送信による画像データのファクシミリ送信を開始させる場合、ユーザは、操作部５０に含まれる送信開始キーを操作する（Ｔ２５）。送信開始キーは、ファクシミリ送信の開始に関連付けられた操作キーである。携帯端末４０において送信開始キーが操作されると、携帯端末４０では、通信装置２０に、送信開始指示が送信される（Ｔ２６）。携帯端末４０では、Ｔ２６の後、通信装置２０との通信（通話のための通信）が終了される（Ｔ２７）。通信装置２０は、送信開始指示を受信する。続けて、通信装置２０では、複合機６０及び携帯端末４０に、ＦＡＸ送信開始通知が送信される（Ｔ２８及びＴ２９）。ＦＡＸ送信開始通知は、画像データのファクシミリ送信を開始することを示す通知である。ＦＡＸ送信開始通知が送信される携帯端末４０は、呼出対象の携帯端末４０であって、送信開始指示を送信した携帯端末４０である。ＦＡＸ送信開始通知を受信した複合機６０では、表示部７８に送信開始画面が表示される（Ｔ３０）。同じく、ＦＡＸ送信開始通知を受信した携帯端末４０では、表示部５２に送信開始画面が表示される（Ｔ３１）。送信開始画面は、画像データが相手先装置９０にファクシミリ送信されることを示す。
【００２８】
次に、通信装置２０では、ＲＡＭ２６に記憶された画像データを対象として、通信回線１００を介したファクシミリ送信が制御される。先ず、通信装置２０は、通信回線１００を介して、相手先装置９０にＦＡＸ送信信号を送信し、相手先装置９０は、このＦＡＸ送信信号を受信する（Ｔ３２）。相手先装置９０は、ＦＡＸ送信信号の受信に応じ、ＦＡＸ受信信号を送信し、通信装置２０は、このＦＡＸ受信信号を受信する（Ｔ３３）。このように、通信装置２０と相手先装置９０との間で行われる、ＦＡＸ送信信号及びＦＡＸ受信信号の送受信によって、例えば、ファクシミリ送信に関する能力等がネゴシエーションされる。その後、通信装置２０と相手先装置９０との間では、通信回線１００を介したファクシミリ通信が実行される（Ｔ３４）。その際、通信装置２０から相手先装置９０に、ＲＡＭ２６に記憶された画像データがファクシミリ送信される。
【００２９】
画像データが全てファクシミリ送信された後の所定のタイミングで、通信装置２０及び相手先装置９０は、それぞれ回線開放を実行し、通信回線１００との接続を切断する（Ｔ３５及びＴ３６）。通信装置２０では、Ｔ３５を実行した後、複合機６０及び携帯端末４０に、ＦＡＸ送信終了通知が送信される（Ｔ３７及びＴ３８）。ＦＡＸ送信終了通知は、画像データのファクシミリ送信が終了したことを示す通知である。ＦＡＸ送信終了通知を受信した複合機６０では、表示部７８に送信完了画面が表示される（Ｔ３９）。同じく、ＦＡＸ送信開始通知を受信した携帯端末４０では、表示部５２に送信完了画面が表示される（Ｔ４０）。送信完了画面は、画像データが相手先装置９０にファクシミリ送信されたことを示す。複合機６０及び携帯端末４０では、送信完了画面が一定時間表示される。その後、複合機６０の表示部７８での表示と、携帯端末４０の表示部５２での表示は、送信完了画面から待機画面に遷移する（Ｔ４１及びＴ４２）。待機画面は、待機中であることを示す。
【００３０】
＜複合機処理＞
複合機処理について、図５及び図６を参照して説明する。複合機処理は、手動送信に関し、複合機６０で実行される処理である。複合機処理は、ユーザが、複合機６０に送信対象の原稿をセットし、原稿センサ７２で原稿が検出された場合に開始される（図２のＴ１参照）。複合機処理を開始したＣＰＵ６２は、第五通信部６８から通信装置２０に、通話状態要求を送信するように制御する（Ｓ１００）。Ｓ１００は、図２のＴ２に対応する。ＣＰＵ６２は、通話状態要求に対する応答として、第五通信部６８で、通話中通知が受信されたか否かを判断する（Ｓ１０２）。通話中通知は、通話中の相手先装置９０の電話番号と、通話中の携帯端末４０を識別する端末情報を含む。通話中通知は、図７のＳ２０８で送信される。
【００３１】
通話中通知が受信された場合（Ｓ１０２：Ｙｅｓ）、ＣＰＵ６２は、表示部７８に、通話中画面を表示するように制御する（Ｓ１０４）。通話中画面は、通話中通知に含まれる電話番号及び端末情報を含む。ユーザは、表示部７８に表示された通話中画面を視認することで、通話相手の電話番号と、通話中の携帯端末４０を特定することが可能で、この通話相手の相手先装置９０に手動送信するか否かを判断することができる。ＣＰＵ６２は、通話中画面を表示した後、一定時間経過したタイミングで、表示部７８に、電話番号、端末情報及び実行指示の入力を促す入力画面を表示するように制御する。ユーザは、特定された電話番号の相手先装置９０に対して手動送信する場合、操作部５０を操作し、手動送信の実行指示を入力する。実行指示の入力に際し、ユーザは、相手先装置９０の電話番号と、端末情報を入力する。ＣＰＵ６２は、電話番号及び端末情報が入力された状態で、実行指示が入力されたか否かを判断する（Ｓ１０６）。Ｓ１０４を実行した後、一定時間内に実行指示が入力されない場合、又は、手動送信をキャンセルする指示が操作部７６を介して入力された場合、ＣＰＵ６２は、Ｓ１０６を否定し（Ｓ１０６：Ｎｏ）、処理を図６のＳ１４０に移行する。
【００３２】
電話番号及び端末情報が入力された状態で、実行指示が入力された場合（Ｓ１０６：Ｙｅｓ）、ＣＰＵ６２は、スキャナ部７０での原稿の読み取りを制御する（Ｓ１０８）。スキャナ部７０は、複合機６０にセットされた全ての原稿を読み取る。これによって、読み取られた全ての原稿に対応した画像データが形成される。続けて、ＣＰＵ６２は、第五通信部６８から通信装置２０に、手動送信の実行指示に対応した第二手動送信要求と、入力された電話番号及び端末情報と、Ｓ１０８で形成された画像データを送信するように制御する（Ｓ１１０）。第二手動送信要求は、通話中の相手先装置９０に、手動送信することを要求する通知である。その後、ＣＰＵ６２は、処理を図６のＳ１３０に移行する。
【００３３】
通話中通知が受信されない場合（Ｓ１０２：Ｎｏ）、通話状態要求に対する応答として、非通話通知が受信されたか否かを判断する（Ｓ１１２）。非通話通知が受信されない場合（Ｓ１１２：Ｎｏ）、ＣＰＵ６２は、処理を図６のＳ１３８に移行する。例えば、通信装置２０の電源がオフで、通信装置２０と通信できないような場合、このような結果となる。非通話通知が受信された場合（Ｓ１１２：Ｙｅｓ）、ＣＰＵ６２は、表示部７８に非通話画面を表示するように制御する（Ｓ１１４）。Ｓ１１４は、図２のＴ４に対応する。ユーザは、非通話画面の表示に応じ、操作部７６を操作し、相手先装置９０の電話番号と、利用する携帯端末４０を識別する端末情報を入力し、その後、実行指示を入力する（図２のＴ５参照）。ＣＰＵ６２は、電話番号及び端末情報が入力された状態で、手動送信の実行指示が入力されたか否かを判断する（Ｓ１１６）。実行指示が入力されない場合（Ｓ１１６：Ｎｏ）、ＣＰＵ６２は、処理を図６のＳ１４０に移行する。例えば、Ｓ１１４を実行した後、一定時間内に実行指示が入力されない場合、又は、手動送信をキャンセルする指示が操作部７６を介して入力された場合、Ｓ１１６の判断は否定される（Ｓ１１６：Ｎｏ）。
【００３４】
電話番号及び端末情報が入力された状態で、実行指示が入力された場合（Ｓ１１６：Ｙｅｓ）、ＣＰＵ６２は、スキャナ部７０での原稿の読み取りを制御する（Ｓ１１８）。Ｓ１１８は、図２のＴ６に対応する。Ｓ１１８は、Ｓ１０８と同様にして行われる。Ｓ１１８に関する説明は省略する。続けて、ＣＰＵ６２は、第五通信部６８から通信装置２０に、第一手動送信要求と、入力された電話番号及び端末情報と、Ｓ１１８で形成された画像データを送信するように制御する（Ｓ１２０）。Ｓ１２０は、図２のＴ７に対応する。その後、ＣＰＵ６２は、第五通信部６８で、通信装置２０から送信された呼出開始応答が受信されたか否かを判断する（Ｓ１２２）。呼出開始応答は、図８のＳ２２６で送信される。呼出開始応答が受信されない場合（Ｓ１２２：Ｎｏ）、ＣＰＵ６２は、処理を図６のＳ１４０に移行する。Ｓ１２２が否定される場合（Ｓ１２２：Ｎｏ）、第五通信部６８では、呼出失敗通知が受信される。呼出失敗通知は、図７のＳ２２４で送信される。呼出開始応答が受信された場合（Ｓ１２２：Ｙｅｓ  図２のＴ１３参照）、ＣＰＵ６２は、表示部７８に呼出中画面を表示するように制御する（Ｓ１２４）。Ｓ１２４は、図２のＴ１４に対応する。
【００３５】
Ｓ１２４を実行した後、ＣＰＵ６２は、第五通信部６８で、通信装置２０から送信された端末通信開始通知が受信されたか否かを判断する（Ｓ１２６）。端末通信開始通知は、図８のＳ２３４で送信される。端末通信開始通知が受信されない場合（Ｓ１２６：Ｎｏ）、ＣＰＵ６２は、処理を図６のＳ１４０に移行する。Ｓ１２６が否定される場合（Ｓ１２６：Ｎｏ）、第五通信部６８では、呼出無応答通知が受信される。呼出無応答通知は、図８のＳ２３２で送信される。端末通信開始通知が受信された場合（Ｓ１２６：Ｙｅｓ  図３のＴ１９参照）、ＣＰＵ６２は、表示部７８に通信開始画面を表示するように制御する（Ｓ１２８）。Ｓ１２８は、図３のＴ２０に対応する。その後、ＣＰＵ６２は、処理を図６のＳ１３０に移行する。
【００３６】
図６のＳ１３０で、ＣＰＵ６２は、第五通信部６８で、通信装置２０から送信されたＦＡＸ送信開始通知が受信されたか否かを判断する。ＦＡＸ送信開始通知は、図８のＳ２４６のファクシミリ送信処理の中で送信される。ＦＡＸ送信開始通知が受信されない場合（Ｓ１３０：Ｎｏ）、ＣＰＵ６２は、処理をＳ１４０に移行する。Ｓ１３０が否定される場合（Ｓ１３０：Ｎｏ）、第五通信部６８では、ＦＡＸ送信失敗通知が受信される。ＦＡＸ送信失敗通知は、図８のＳ２４２で送信される。ＦＡＸ送信開始通知が受信された場合（Ｓ１３０：Ｙｅｓ  図４のＴ２８参照）、ＣＰＵ６２は、表示部７８に送信開始画面を表示するように制御する（Ｓ１３２）。Ｓ１３２は、図４のＴ３０に対応する。続けて、ＣＰＵ６２は、第五通信部６８で、通信装置２０から送信されたＦＡＸ送信終了通知が受信されたか否かを判断する（Ｓ１３４）。ＦＡＸ送信終了通知は、図８のＳ２５０で送信される。
【００３７】
ＦＡＸ送信終了通知が受信されない場合（Ｓ１３４：Ｎｏ）、ＣＰＵ６２は、送信開始画面の表示を継続する。この場合、通信装置２０では、ファクシミリ送信処理（図８のＳ２４６参照）が継続され、第二通信部３０から相手先装置９０に、画像データがファクシミリ送信されている。複合機６０では、これに対応し、送信開始画面が継続して表示される。ＦＡＸ送信終了通知が受信された場合（Ｓ１３４：Ｙｅｓ  図４のＴ３７参照）、ＣＰＵ６２は、表示部７８に送信完了画面を一定時間表示するように制御する（Ｓ１３６）。Ｓ１３６は、図４のＴ３９に対応する。Ｓ１３６を実行した後、ＣＰＵ６２は、処理をＳ１４４に移行する。
【００３８】
上述したＳ１１２が否定され（Ｓ１１２：Ｎｏ）、処理がＳ１３８に移行した場合、ＣＰＵ６２は、表示部７８に、通信エラー画面を一定時間表示するように制御する。ＣＰＵ６２は、通信エラー画面を表示した後、一定時間経過したタイミングで、処理を図６のＳ１４０に移行する。上述したＳ１０６、Ｓ１１６、Ｓ１２２又はＳ１２６の何れかが否定され（Ｓ１０６，Ｓ１１６，Ｓ１２２，Ｓ１２６：Ｎｏ）、又は、処理がＳ１３８からＳ１４０に移行した場合、ＣＰＵ６２は、表示部７８に、手動送信が実行できずキャンセルされたことを示すキャンセル画面を表示するように制御する（Ｓ１４０）。ＣＰＵ６２は、Ｓ１３６で送信完了画面を表示部７８に表示した後、又は、Ｓ１４０でキャンセル画面を表示した後、一定時間経過したタイミングで、表示部７８での表示が送信完了画面又はキャンセル画面から待機画面に遷移するように制御する（Ｓ１４４）。Ｓ１３６後に行われるＳ１４４は、図４のＴ４１に対応する。Ｓ１４４を実行した後、ＣＰＵ６２は、複合機処理を終了する。
【００３９】
＜通信装置処理＞
通信装置処理について、図７及び図８を参照して説明する。通信装置処理は、手動送信に関し、通信装置２０で実行される処理である。通信装置処理を開始したＣＰＵ２２は、第三通信部３２で、複合機６０から送信された情報が受信されたか否かを判断する（Ｓ２００）。何れの情報も受信されない場合（Ｓ２００：Ｎｏ）、ＣＰＵ２２は、Ｓ２００を繰り返して実行する。何れかの情報が受信された場合（Ｓ２００：Ｙｅｓ）、ＣＰＵ２２は、受信された情報の種類について判断する（Ｓ２０２）。ここで受信される情報は、通話状態要求、第一手動送信要求又は第二手動送信要求の何れかである。通話状態要求は、図５のＳ１００で送信される。第一手動送信要求は、電話番号、端末情報及び画像データと共に、図５のＳ１２０で送信される。第二手動送信要求は、電話番号、端末情報及び画像データと共に、図５のＳ１１０で送信される。
【００４０】
受信された情報が通話状態要求であった場合（Ｓ２０２：通話状態要求  図２のＴ２参照）、ＣＰＵ２２は、携帯端末４０が通話中であるか否かを判断する（Ｓ２０４）。通話中であるか否かは、例えば、携帯端末４０と相手先装置９０との間の通話が中継されているか否かに従い判断される。通信回線１００を介した相手先装置９０との通信が制御されているか否かに従い判断してもよい。全ての携帯端末４０が通話中でない場合（Ｓ２０４：Ｎｏ）、ＣＰＵ２２は、第三通信部３２から複合機６０に非通話通知を送信するように制御する（Ｓ２０６）。Ｓ２０６は、図２のＴ３に対応する。何れかの携帯端末４０（図１に基づけば、携帯端末４０Ａ又は携帯端末４０Ｂ）が通話中であった場合（Ｓ２０４：Ｙｅｓ）、ＣＰＵ２２は、第三通信部３２から複合機６０に通話中通知を送信するように制御する（Ｓ２０８）。通話中通知は、上述したように、通話中の相手先装置９０の電話番号と、通話中の携帯端末４０を識別する端末情報を含む。ＣＰＵ２２は、通信回線１００を介した通信が開始された場合、この通信の開始に際し、受信された相手先装置９０の電話番号を、ＲＡＭ２６に記憶する。ＣＰＵ２２は、このＲＡＭ２６に記憶された相手先装置９０の電話番号を通話中通知に付加する。Ｓ２０６又はＳ２０８を実行した後、ＣＰＵ２２は、処理をＳ２００に戻す。
【００４１】
受信された情報が第二手動送信要求であった場合（Ｓ２０２：第二手動送信要求）、ＣＰＵ２２は、第二手動送信要求と共に第三通信部３２で受信された、画像データ、電話番号及び端末情報をＲＡＭ２６に記憶する（Ｓ２１０）。続けて、ＣＰＵ２２は、Ｓ２１０でＲＡＭ２６に記憶された電話番号と、通話中の通信の開始に際しＲＡＭ２６に記憶された電話番号が一致するか否かを判断する（Ｓ２１２）。電話番号が一致した場合（Ｓ２１２：Ｙｅｓ）、ＣＰＵ２２は、第一通信部２８から通話中の携帯端末４０に、強制切断指示と、切断理由通知を送信するように制御する（Ｓ２１４）。強制切断指示は、携帯端末４０と相手先装置９０との間の通話を強制的に終了させるための指示である。切断理由通知は、通話を強制的に終了させる理由を示す通知である。これらを受信した携帯端末４０では、通話が終了され（図９のＳ３０２参照）、切断理由通知に従った切断画面が表示部５２に一定時間表示される（図９のＳ３０３参照）。Ｓ２１４を実行した後、ＣＰＵ２２は、処理を図８のＳ２４６に移行する。
【００４２】
電話番号が一致しない場合（Ｓ２１２：Ｎｏ）、ＣＰＵ２２は、第三通信部３２から複合機６０にＦＡＸ送信失敗通知を送信するように制御する（Ｓ２１６）。ＦＡＸ送信失敗通知は、画像データのファクシミリ送信に失敗したことを示す通知である。ＦＡＸ送信失敗通知に、失敗した理由（電話番号の不一致）を付加するようにしてもよい。これを受信した複合機６０では、ＦＡＸ送信失敗通知に従ったキャンセル画面が表示部７８に一定時間表示される（図６のＳ１４０参照）。Ｓ２１６を実行した後、ＣＰＵ２２は、処理をＳ２００に戻す。
【００４３】
受信された情報が第一手動送信要求であった場合（Ｓ２０２：第一手動送信要求  図２のＴ７参照）、ＣＰＵ２２は、第一手動送信要求と共に第三通信部３２で受信された、電話番号、端末情報及び画像データをＲＡＭ２６に記憶する（Ｓ２１８）。このとき、電話番号は、手動送信のための発呼先としてセットされ、管理される。Ｓ２１８は、図２のＴ８に対応する。続けて、ＣＰＵ２２は、第一通信部２８から、Ｓ２１８でＲＡＭ２６に記憶された端末情報によって識別される携帯端末４０（呼出対象の携帯端末４０）に、呼出開始要求と、手動送信通知と、Ｓ２１８でＲＡＭ２６に記憶された電話番号を送信するように制御する（Ｓ２２０）。Ｓ２２０は、図２のＴ９に対応する。
【００４４】
Ｓ２２０を実行した後、ＣＰＵ２２は、第一通信部２８で、呼出対象の携帯端末４０から送信された呼出開始応答が受信されたか否かを判断する（Ｓ２２２）。呼出開始応答は、図９のＳ３２２で送信される。呼出開始応答が受信されない場合（Ｓ２２２：Ｎｏ）、ＣＰＵ２２は、第三通信部３２から複合機６０に、呼出失敗通知を送信するように制御する（Ｓ２２４）。呼出失敗通知は、呼出対象の携帯端末４０の呼び出しに失敗したことを示す通知である。Ｓ２２２が否定される場合（Ｓ２２２：Ｎｏ）、第一通信部２８では、呼出拒否通知が受信される。呼出拒否通知は、呼出対象の携帯端末４０が使用できない状態であることを示す通知であり、図９のＳ３１６で送信される。Ｓ２２４を実行した後、ＣＰＵ２２は、処理をＳ２００に戻す。呼出開始応答が受信された場合（Ｓ２２２：Ｙｅｓ  図２のＴ１２参照）、ＣＰＵ２２は、処理を図８のＳ２２６に移行する。
【００４５】
図８のＳ２２６で、ＣＰＵ２２は、第三通信部３２から複合機６０に、受信された呼出開始応答を送信するように制御する。Ｓ２２６は、図２のＴ１３に対応する。続けて、ＣＰＵ２２は、第一通信部２８で、呼出対象の携帯端末４０から送信された内線開始通知が受信されたか否かを判断する（Ｓ２２８）。Ｓ２１２後の一定時間内に内線開始通知が受信されない場合（Ｓ２２８：Ｎｏ）、ＣＰＵ２２は、第一通信部２８から呼出対象の携帯端末４０に、呼出停止要求を送信するように制御する（Ｓ２３０）。呼出停止要求は、携帯端末４０において呼出動作の停止を要求する通知である。その後、ＣＰＵ２２は、第三通信部３２から複合機６０に、呼出無応答通知を送信するように制御する（Ｓ２３２）。呼出無応答通知は、呼出対象の携帯端末４０において、呼び出しに対する応答がなかったことを示す通知である。これを受信した複合機６０では、呼出無応答通知に従ったキャンセル画面が、表示部７８に一定時間表示される（図６のＳ１４０参照）。Ｓ２３２を実行した後、ＣＰＵ２２は、処理をＳ２００に戻す。
【００４６】
内線開始通知が受信された場合（Ｓ２２８：Ｙｅｓ  図３のＴ１６参照）、ＣＰＵ２２は、第三通信部３２から複合機６０に、端末通信開始通知を送信するように制御する（Ｓ２３４）。内線開始通知は、図１０のＳ３３０で送信される。続けて、ＣＰＵ２２は、呼出対象の携帯端末４０を通信回線１００の側に接続するように制御する（Ｓ２３６）。これによって、例えば、マイク５４に入力された音声を、第二通信部３０から通信回線１００に出力可能となり、通信回線１００を介して第二通信部３０で受信された相手方の音声を、スピーカ５６から出力可能となる。その後、ＣＰＵ２２は、Ｓ２１０でＲＡＭ２６に記憶された電話番号に従った発呼処理を制御する（Ｓ２３８）。具体的には、ＣＰＵ２２は、第二通信部３０での回線閉結を制御する。これに伴い、第二通信部３０は、回線閉結する。続けて、ＣＰＵ２２は、第二通信部３０から通信回線１００に、電話番号を送出する。Ｓ２３６及びＳ２３８は、図３のＴ２１及びＴ２２に対応する。
【００４７】
次に、ＣＰＵ２２は、第一通信部２８で、通話終了指示が受信されたか否かを判断する（Ｓ２４０）。通話終了指示は、相手先装置９０との通話を終了することを示す指示である。通話終了指示は、図１０のＳ３３８で送信される。通話終了指示が受信された場合（Ｓ２４０：Ｙｅｓ）、ＣＰＵ２２は、ＦＡＸ送信失敗通知を、第三通信部３２から複合機６０に送信し、第一通信部２８から呼出対象の携帯端末４０に送信するように制御する（Ｓ２４２）。ここで送信されるＦＡＸ送信失敗通知についても、図７のＳ２１６の場合と同様、失敗した理由（通話終了）を付加するようにしてもよい。これを受信した複合機６０では、ＦＡＸ送信失敗通知に従ったキャンセル画面が、表示部７８に一定時間表示される（図６のＳ１４０参照）。携帯端末４０についても、複合機６０と同様、ＦＡＸ送信失敗通知に従ったキャンセル画面が、表示部５２に一定時間表示される（図９のＳ３０４参照）。Ｓ２４２を実行した後、ＣＰＵ２２は、処理をＳ２４８に移行する。
【００４８】
通話終了指示が受信されない場合（Ｓ２４０：Ｎｏ）、ＣＰＵ２２は、第一通信部２８で、送信開始指示が受信されたか否かを判断する（Ｓ２４４）。送信開始指示は、図１０のＳ３４２で送信される。送信開始指示が受信されない場合（Ｓ２４４：Ｎｏ）、ＣＰＵ２２は、処理をＳ２４０に戻し、通話終了指示又は送信開始指示が受信されるまで、Ｓ２４０及びＳ２４４を繰り返す。送信開始指示が受信された場合（Ｓ２４４：Ｙｅｓ  図４のＴ２６参照）、ＣＰＵ２２は、ファクシミリ送信処理を制御する（Ｓ２４６）。Ｓ２４６で、ＣＰＵ２２は、ＦＡＸ送信開始通知を、第三通信部３２から複合機６０に送信し（Ｔ２８参照）、第一通信部２８から呼出対象の携帯端末４０に送信するように制御する（Ｔ２９参照）。その後、ＣＰＵ２２は、携帯端末４０と相手先装置９０との間の中継を終了し、図７のＳ２１０でＲＡＭ２２に記憶された画像データを、第一通信部２８から相手先装置９０にファクシミリ送信するように制御する（図４のＴ３４参照）。このとき、第一通信部２８と相手先装置９０との間では、ＦＡＸ送信信号及びＦＡＸ受信信号が送受信される（図４のＴ３２及びＴ３３参照）。画像データは、第一通信部２８から、通信回線１００を介して相手先装置９０にファクシミリ送信される。Ｓ２４６を実行した後、ＣＰＵ２２は、処理をＳ２４８に移行する。
【００４９】
Ｓ２４８で、ＣＰＵ２２は、第二通信部３０での回線開放を制御する。第二通信部３０は、回線開放する。これによって、手動送信のための相手先装置９０との通信は終了する。Ｓ２４８は、図４のＴ３５に対応する。続けて、ＣＰＵ２２は、ＦＡＸ終了通知を、第三通信部３２から複合機６０に送信し、第一通信部２８から呼出対象の携帯端末４０に送信するように制御する（Ｓ２５０）。Ｓ２５０は、図４のＴ３７及びＴ３８に対応する。Ｓ２５０を実行した後、ＣＰＵ２２は、処理を図７のＳ２００に戻す。ＣＰＵ２２は、通信装置２０の電源がオフされるまで、通信装置処理を繰り返す。
【００５０】
＜携帯端末処理＞
携帯端末処理について、図９及び図１０を参照して説明する。携帯端末処理は、手動送信に関し、携帯端末４０で実行される処理である。携帯端末処理を開始したＣＰＵ４２は、第四通信部４８で、通信装置２０から送信された情報が受信されたか否かを判断する（Ｓ３００）。何れの情報も受信されない場合（Ｓ３００：Ｎｏ）、ＣＰＵ４２は、Ｓ３００を繰り返して実行する。何れかの情報が受信された場合（Ｓ３００：Ｙｅｓ）、ＣＰＵ４２は、受信された情報の種類について判断する（Ｓ３０１）。ここで受信される情報は、強制切断指示及び切断理由通知、呼出開始要求、ＦＡＸ送信失敗通知又はＦＡＸ送信開始通知の何れかである。強制切断指示及び切断理由通知は、図７のＳ２１４で送信される。呼出開始要求は、図７のＳ２２０で送信される。ＦＡＸ送信失敗通知は、図７のＳ２４２で送信される。ＦＡＸ送信開始通知は、図８のＳ２４６のファクシミリ送信処理の中で送信される。
【００５１】
受信された情報が強制切断指示及び切断理由通知であった場合（Ｓ３０１：強制切断指示）、ＣＰＵ４２は、強制切断指示に従い、第四通信部４８での通信装置２０との通信（通話のための通信）を終了するように制御する（Ｓ３０２）。この場合、携帯端末４０と相手先装置９０との間の通話は、強制的に終了される。続けて、ＣＰＵ４２は、切断理由通知に従い、表示部５２に、切断理由を含む切断画面を、一定時間表示するように制御する（Ｓ３０３）。切断画面を視認したユーザは、切断された理由を認識する。その後、ＣＰＵ４２は、一定時間経過したタイミングで、処理をＳ３００に戻す。受信された情報がＦＡＸ送信失敗通知であった場合（Ｓ３０１：ＦＡＸ送信失敗通知）、ＣＰＵ４２は、表示部５２に、手動送信が実行できずキャンセルされたことを示すキャンセル画面を、一定時間表示するように制御する（Ｓ３０４）。その後、ＣＰＵ４２は、一定時間経過したタイミングで、処理をＳ３００に戻す。
【００５２】
受信された情報がＦＡＸ送信開始通知であった場合（Ｓ３０１：ＦＡＸ送信開始通知  図４のＴ２９参照）、ＣＰＵ４２は、表示部５２に送信開始画面を表示するように制御する（Ｓ３０６）。Ｓ３０６は、図４のＴ３１に対応する。続けて、ＣＰＵ４２は、第四通信部４８で、通信装置２０から送信されたＦＡＸ送信終了通知が受信されたか否かを判断する（Ｓ３０８）。ＦＡＸ送信終了通知は、図８のＳ２５０で送信される。ＦＡＸ送信終了通知が受信されない場合（Ｓ３０８：Ｎｏ）、ＣＰＵ４２は、送信開始画面の表示を継続する。この場合、通信装置２０では、ファクシミリ送信処理（図８のＳ２４６参照）が継続され、第二通信部３０から相手先装置９０に、画像データのファクシミリ送信が行われている。携帯端末４０では、これに対応し、送信開始画面が継続して表示される。ＦＡＸ送信終了通知が受信された場合（Ｓ３０８：Ｙｅｓ  図４のＴ３８参照）、ＣＰＵ４２は、表示部５２に送信完了画面を一定時間表示するように制御する（Ｓ３１０）。ＣＰＵ４２は、送信完了画面を表示部５２に表示した後、一定時間経過したタイミングで、表示部５２での表示が送信完了画面から待機画面に遷移するように制御する（Ｓ３１２）。Ｓ３１０及びＳ３１２は、図４のＴ４０及びＴ４２にそれぞれ対応する。Ｓ３１２を実行した後、ＣＰＵ４２は、処理をＳ３００に戻す。
【００５３】
受信された情報が呼出開始応答であった場合（Ｓ３０１：呼出開始要求）、ＣＰＵ４２は、自装置が使用できる状態であるか否かを判断する（Ｓ３１４）。使用できない場合（Ｓ３１４：Ｎｏ）、ＣＰＵ４２は、第四通信部４８から通信装置２０に、呼出拒否通知を送信するように制御する（Ｓ３１６）。例えば、ユーザが、携帯端末処理には関連しない別の操作を、携帯端末４０に対して行っているような場合、Ｓ３１４は否定される（Ｓ３１４：Ｎｏ）。Ｓ３１６を実行した後、ＣＰＵ４２は、処理をＳ３００に戻す。使用できる場合（Ｓ３１４：Ｙｅｓ）、ＣＰＵ４２は、呼出動作を制御する（Ｓ３１８）。これによって、スピーカ５６から呼出音が出力される。ＣＰＵ４２は、呼出動作を制御しつつ、表示部５２に手動送信画面を表示するように制御する（Ｓ３２０）。続けて、ＣＰＵ４２は、第四通信部４８から通信装置２０に、呼出開始応答を送信するように制御する（Ｓ３２２）。Ｓ３１８、Ｓ３２０及びＳ３２２は、図２のＴ１０、Ｔ１１及びＴ１２にそれぞれ対応する。Ｓ３２２を実行した後、ＣＰＵ４２は、処理を図１０のＳ３２４に移行する。
【００５４】
図１０のＳ３２４で、ＣＰＵ４２は、応答指示が入力されたか否かを判断する。応答指示は、例えば、ユーザが携帯端末４０を設置台（不図示）から取り上げるといった動作により入力される。応答指示が入力されない場合（Ｓ３２４：Ｎｏ）、ＣＰＵ４２は、第四通信部４８で、通信装置２０から送信された呼出停止要求が受信されたか否かを判断する（Ｓ３２６）。呼出停止要求は、図８のＳ２３０で送信される。呼出停止要求が受信されない場合（Ｓ３２６：Ｎｏ）、ＣＰＵ４２は、処理をＳ３２４に戻す。呼出停止要求が受信された場合（Ｓ３２６：Ｙｅｓ）、ＣＰＵ４２は、図９のＳ３１８で開始させた呼出動作を停止するように制御する（Ｓ３２８）。その後、ＣＰＵ４２は、処理を図９のＳ３００に戻す。応答指示が入力された場合（Ｓ３２４：Ｙｅｓ  図３のＴ１５参照）、ＣＰＵ４２は、第四通信部４８から通信装置２０に、内線開始通知を送信するように制御する（Ｓ３３０）。Ｓ３３０は、図３のＴ１６に対応する。続けて、ＣＰＵ４２は、第四通信部４８での通信装置２０との通信を制御する。これによって、通信装置２０との間の無線接続が確立され、通信可能となる。通信装置２０で、図８のＳ２３６が行われると、例えば、マイク５４に入力された音声を、第二通信部３０から通信回線１００に出力できるようになる。また、通信回線１００を介して第二通信部３０で受信された相手方の音声を、スピーカ５６から出力できるようになる。ＣＰＵ４２は、表示部５２に送信前通話画面を表示するように制御する（Ｓ３３４）。Ｓ３３２及びＳ３３４は、図３のＴ１７及びＴ１８にそれぞれ対応する。
【００５５】
次に、ＣＰＵ４２は、通話終了指示が入力されたか否かを判断する（Ｓ３３６）。通話終了指示は、例えば、通話中のユーザが切断キーを操作することによって入力される。切断キーは、操作部５０に含まれる操作キーであって、通話の終了の指示に関連付けられた操作キーである。通話終了指示が入力された場合（Ｓ３３６：Ｙｅｓ）、ＣＰＵ４２は、第四通信部４８から通信装置２０に、通話終了指示を送信するように制御する（Ｓ３３８）。Ｓ３３８を実行した後、ＣＰＵ４２は、処理をＳ３４４に移行する。通話終了指示が入力されない場合（Ｓ３３６：Ｎｏ）、ＣＰＵ４２は、送信開始指示が入力されたか否かを判断する（Ｓ３４０）。送信開始指示は、上述したように、例えば、ユーザが送信開始キーを操作することによって入力される。送信開始指示が入力されない場合（Ｓ３４０：Ｎｏ）、ＣＰＵ４２は、処理をＳ３３６に戻す。ユーザが相手先装置９０のユーザとの通話を継続している場合、Ｓ３３６及びＳ３４０は否定される（Ｓ３３６，Ｓ３４０：Ｎｏ）。
【００５６】
ユーザが送信開始キーを操作して（図４のＴ２５参照）、送信開始指示が入力された場合（Ｓ３４０：Ｙｅｓ）、ＣＰＵ４２は、第四通信部４８から通信装置２０に、送信開始指示を送信するように制御する（Ｓ３４２）。Ｓ３４２は、図４のＴ２６に対応する。Ｓ３４２を実行した後、ＣＰＵ４２は、処理をＳ３４４に移行する。Ｓ３４４で、ＣＰＵ４２は、Ｓ３３２で開始させた通信制御を停止するように制御する。これによって、携帯端末４０を用いた通信相手との通話は終了する。Ｓ３４２後に行われるＳ３４４は、図４のＴ２７に対応する。Ｓ３４４を実行した後、ＣＰＵ４２は、処理を図９のＳ３００に戻す。ＣＰＵ４２は、携帯端末４０の電源がオフされるまで、携帯端末処理を繰り返す。
【００５７】
＜本実施形態の効果＞
本実施形態によれば、次のような効果を得ることができる。
【００５８】
（１）通信システム１０では、手動送信によって相手先装置９０に画像データをファクシミリ送信することができる（図２〜図４参照）。そのため、画像データが誤った相手先装置に誤送信されることを防止することができる。また、画像データは、相手先装置９０のユーザとの通話を終了させた状態で、ファクシミリ送信される（図４のＴ２７及びＴ３４、図８のＳ２４６、図１０のＳ３４４参照）。そのため、通話及びファクシミリ送信が同時に行えない場合であっても、通話によって、相手を確認し、確認後に画像データをファクシミリ送信することができる。さらに、既に、所定の相手との通話が行われていた場合（図７のＳ２０４：Ｙｅｓ参照）、その通話相手の相手先装置９０に画像データをファクシミリ送信することができる（図５のＳ１０２：Ｙｅｓ、Ｓ１０４〜Ｓ１１０、図７のＳ２１０、Ｓ２１２：Ｙｅｓ、Ｓ２１４、図８のＳ２４６参照）。そのため、既に通話中である相手先装置９０に、画像データをファクシミリ送信することができる。通話中ではない場合（図７のＳ２０４：Ｎｏ参照）、画像データをファクシミリ送信する相手先装置９０との間で通信を確立し（図３のＴ２１〜Ｔ２４、図８のＳ２３８参照）、上記同様、通話によって確認された相手先装置９０に画像データをファクシミリ送信することができる。
【００５９】
（２）通信システム１０のユーザが、携帯端末４０で、相手先装置９０のユーザと通話し、その後、操作部５０に含まれる切断キーを操作して、通話終了指示が入力された場合（図１０のＳ３３６：Ｙｅｓ参照）、携帯端末４０から通信装置２０に通話終了指示が送信される（図１０のＳ３３８）。通信装置２０では、通話終了指示が受信された場合（図８のＳ２４０：Ｙｅｓ）、ファクシミリ送信処理が行われない（図８のＳ２４６未実行）。そのため、通話によって確認された相手が、所望した相手ではなかったような場合、この相手の相手先装置９０に画像データがファクシミリ送信されてしまうといった事態の発生を防止することができる。
【００６０】
＜変形例＞
本実施形態は、次のようにすることもできる。このような構成によっても、上記同様の効果を得ることができる。
【００６１】
（１）上記では、通信装置２０と、携帯端末４０と、複合機６０を含む通信システム１０を例とし、複合機６０が、スキャナ部７０で原稿を読み取ることで、画像データが形成されることとした。この他、通信システム１０は、通信装置２０と、携帯端末４０と、パーソナルコンピュータを含むような構成であってもよい。この場合、パーソナルコンピュータは、上述した複合機６０と同様、画像形成装置として機能する。パーソナルコンピュータでは、上述した複合機６０と同様の機能が実現される。パーソナルコンピュータには、上述した複合機処理（図５及び図６参照）と同様の処理のためのコンピュータプログラムがインストールされる。インストールされるコンピュータプログラムは、通信装置２０と通信するためのドライバを含む。画像データは、例えば、ワープロソフトのようなアプリケーションによって作成されたデータを、ドライバによって処理し、第一手動送信要求又は第二手動送信要求等と共に、通信装置２０に送信される（図５のＳ１１８及びＳ１２０と、Ｓ１０８及びＳ１１０参照）。このような、パーソナルコンピュータ及び通信装置２０を用いた画像データのファクシミリ送信は、ＰＣ−ＦＡＸ送信と称される送信手法に対応する送信手法である。パーソナルコンピュータを含む通信システム１０では、通信装置２０を、複合機６０のような印刷部７４を備える装置とし、複合機６０で、通信装置処理（図７及び図８参照）が実行されるようにしてもよい。ファクシミリ送信される画像データを形成する画像形成装置としての複合機６０は、ファクシミリ通信専用のファクシミリ装置であってもよい。通信システム１０に含まれる携帯端末４０が１台である場合、携帯端末４０を識別する必要がなく、端末情報は省略してもよい。
【００６２】
（２）上記では、通信装置２０において、第二通信部３０から相手先装置９０に画像データがファクシミリ送信される際に、携帯端末４０及び通信装置２０では、次のような制御が行われることとした。即ち、携帯端末４０では、ＣＰＵ４２は、送信開始指示が入力された場合（図１０のＳ３４０：Ｙｅｓ参照）、携帯端末処理（図９及び図１０参照）のＳ３３２で開始させた通信制御を終了するように制御する（Ｓ３４４、図４のＴ２７参照）。これに対応し、通信装置２０では、ＣＰＵ２２は、通信装置処理（図７及び図８参照）のＳ２４６において、携帯端末４０と相手先装置９０との間の中継を終了する。例えば、通信システム１０が、同一の電話番号によって、通話及びファクシミリ送信を同時に行えるような環境に設けられている場合、携帯端末４０では、ＣＰＵ４２は、送信開始指示が入力された場合（図１０のＳ３４０：Ｙｅｓ参照）であっても、通話終了指示が入力されるまで、Ｓ３３２で開始させた通信制御を継続するようにしてもよい。これに対応し、通信装置２０でも、ＣＰＵ２２は、中継を継続する。これによれば、相手先装置９０のユーザと通話しながら、この相手先装置９０に画像データをファクシミリ送信することができる。前述したような環境は、通信回線１００が、例えば、公衆電話回線網及び次世代ネットワークの２つの回線を含み、通信システム１０及び相手先装置９０が、同一の電話番号による前述した２回線での同時通信に対応している場合に構築される。通話は公衆電話回線網を介して行われ、画像データのファクシミリ送信は次世代ネットワークを介して行われる。同一の電話番号による前述した２回線での同時通信に対応するためには、例えば、このような通信回線１００を構築する通信事業者との間で、所定の契約をすることが必要となる場合もある。
【符号の説明】
【００６３】
１０  通信システム
２０  通信装置
２２  ＣＰＵ
２４  ＲＯＭ
２６  ＲＡＭ
２８  第一通信部
３０  第二通信部
３２  第三通信部
４０，４０Ａ，４０Ｂ  携帯端末
４２  ＣＰＵ
４４  ＲＯＭ
４６  ＲＡＭ
４８  第四通信部
５０  操作部
５２  表示部
５４  マイク
５６  スピーカ
６０  複合機
６２  ＣＰＵ
６４  ＲＯＭ
６６  ＲＡＭ
６８  第五通信部
７０  スキャナ部
７２  原稿センサ
７４  印刷部
７６  操作部
７８  表示部
９０  相手先装置
１００  通信回線
【図１】
0005962130.tif 000002
【図２】
0005962130.tif 000003
【図３】
0005962130.tif 000004
【図４】
0005962130.tif 000005
【図５】
0005962130.tif 000006
【図６】
0005962130.tif 000007
【図７】
0005962130.tif 000008
【図８】
0005962130.tif 000009
【図９】
0005962130.tif 000010
【図１０】
0005962130.tif 000011